(57)【要約】【課題】  湯水の流量と温度とがレバーの操作で調節される混合水栓において、通水音を確実に低減することが可能な混合水栓を提供する。【解決手段】  給水孔２０，給湯孔２１，吐出孔２２が穿設された固定板１８と、この固定板１８の各孔２０，２１，２２と連通する混合室２７が形成された可動板１９とが摺動自在に重ね合わせて水栓本体２の支持部１１に配置され、可動板１９の混合室２７には通水音低減手段としての消音部材２８が設けられ、可動板１９と連繋したレバー７の操作で湯水の流量と温度とが調節される混合水栓Ａにおいて、前記消音部材２８は網目２８ｃが設けられた第１網体２８ａと第２網体２８ｂとを備え、両網体２８ａ，２８ｂは上下に間隔をおいて一体に形成された。【選択図】  図１
2006022945.tif 000002
【特許請求の範囲】
【請求項１】
給水孔，給湯孔，吐出孔が穿設された固定板と、この固定板の各孔と連通する混合室が形成された可動板とが摺動自在に重ね合わせて水栓本体の支持部に配置され、可動板の混合室には通水音低減手段としての消音部材が設けられ、可動板と連繋したレバーの操作で湯水の流量と温度とが調節される混合水栓において、前記消音部材は網目が設けられた第１網体と第２網体とを備え、両網体は上下に間隔をおいて一体に形成されたことを特徴とする混合水栓。
【請求項２】
給水孔，給湯孔，吐出孔が穿設された固定板と、この固定板の各孔と連通する混合室が形成された可動板とが摺動自在に重ね合わせて水栓本体の支持部に配置され、可動板の混合室には固定板と対向するように通水音低減手段としての消音部材が設けられ、可動板と連繋したレバーの操作で湯水の流量と温度とが調節される混合水栓において、前記可動板にはレバーの操作力が伝達されるスライダーが嵌合され、スライダーの下部には給水孔，給湯孔から流入された水，湯の混合を促進させる混合促進板が形成され、前記消音部材は網目が設けられた第１網体と第２網体とを備え、第１網体は薄板円盤形状で第２編体は帽子形状で両網体は第１編体を上部にして一体に形成され、該消音部材は可動板とスライダーとの間で挟持されることで、混合促進板と接触しないように配置されたことを特徴とする混合水栓。
【発明の詳細な説明】
【技術分野】
【０００１】
この発明は、湯水の流量と温度とをレバーの操作で調節するシングルレバー式の混合水栓に関する。
【背景技術】
【０００２】
一般にシングルレバー式の混合水栓においては、水栓本体には混合水栓の外部に配置された給水管，給湯管とそれぞれ連通する給水通路，給湯通路と、湯水の外部への吐水のための吐水通路とが形成されている。水栓本体の上部には略円筒形状のケースが装着され、ケースの内部には給水孔，給湯孔，吐水孔が穿設された固定板と、混合室が形成された可動板とからなる弁機構が互いに上下に重ね合わせた状態で収容されている。そして、給水通路，給湯通路は、ケースに穿設された水孔，湯孔を介して固定板に穿設された給水孔，給湯孔とそれぞれ連通し、可動板と連繋したレバーの操作により可動板を固定板に対して相対移動させることにより、給水通路から供給される水と給湯通路から供給される湯との流量及び温度が調節され、その調節された湯水が吐水通路を介して外部へ吐出されるようになっている。
【０００３】
この種のシングルレバー式混合水栓では、レバーを吐水位置へ操作した場合、固定板の給水孔，給湯孔，吐水孔と可動板の混合室との位置関係により、流路の絞りによる流路面積の急激な変化や流動摩擦等によって通水音が発生する。この通水音は、単水栓等のように弁の動きが単純なものと比較すると大きく、特に弁機構を固定しているナットの開口部からレバーの内周面を反射して外部に放散され、耳障りな異音として感じられることがある。この対策として、特許文献１のように弁機構の内部に通水音低減手段としての網体が設けられた混合水栓が公知である。
【０００４】
特許文献１の混合水栓では、可動板に形成された混合室に薄板状の２枚の網体が配置されている。この網体は極細の線材をメッシュ状に形成したもので、混合室の天井から所定距離をおいて重ね合わせた状態で固定されている。そして、レバーを吐水位置へ操作すると、固定板の給水孔，給湯孔から流入された水，湯は、各網体を順に通過して混合室で混合され、混合された湯水は再度網体，吐水孔を通過し、吐水通路を介して外部へ吐出される。この時、湯水は網体を通過する際に整流され、通水音の発生を緩和するものである。
【０００５】
【特許文献１】実公昭６０−３５８２０号公報
【発明の開示】
【発明が解決しようとする課題】
【０００６】
しかしながら、この混合水栓では２枚の網体が別物品であり、可動板の混合室に別々に固定されるため線材の位置にばらつきが生じ易く、水，湯が各線材の間を通過する位置が各混合水栓によりそれぞれ異なることとなり、十分な消音効果を得ることができないという問題があった。
【０００７】
この発明は、このような従来の技術に存在する問題点に着目してなされたものであり、その目的は、湯水の流量と温度とがレバーの操作で調節される混合水栓において、通水音を確実に低減することが可能な混合水栓を提供することである。
【課題を解決するための手段】
【０００８】
上記目的を達成するため本発明の請求項１では、本発明は、給水孔，給湯孔，吐出孔が穿設された固定板と、この固定板の各孔と連通する混合室が形成された可動板とが摺動自在に重ね合わせて水栓本体の支持部に配置され、可動板の混合室には通水音低減手段としての消音部材が設けられ、可動板と連繋したレバーの操作で湯水の流量と温度とが調節される混合水栓において、前記消音部材は網目が設けられた第１網体と第２網体とを備え、両網体は上下に間隔をおいて一体に形成されたものである。
【０００９】
請求項２では、給水孔，給湯孔，吐出孔が穿設された固定板と、この固定板の各孔と連通する混合室が形成された可動板とが摺動自在に重ね合わせて水栓本体の支持部に配置され、可動板の混合室には固定板と対向するように通水音低減手段としての消音部材が設けられ、可動板と連繋したレバーの操作で湯水の流量と温度とが調節される混合水栓において、前記可動板にはレバーの操作力が伝達されるスライダーが嵌合され、スライダーの下部には給水孔，給湯孔から流入された水，湯の混合を促進させる混合促進板が形成され、前記消音部材は網目が設けられた第１網体と第２網体とを備え、第１編体は薄板円盤形状で第２編体は帽子形状で両網体は第１網体を上部にして一体に形成され、該消音部材は可動板とスライダーとの間で挟持されることで、混合促進板と接触しないように配置されたものである。
【発明の効果】
【００１０】
本発明の請求項１では、可動板の混合室に通水音低減手段としての消音部材が設けられ、この消音部材は、網目が設けられた第１網体と第２網体とを備え、両網体は上下に間隔をおいて一体に形成されたので、水，湯は可動弁の混合室に流入する時、混合室から流出する時の何れにおいても第１網体，第２網体を通過するので、十分な消音効果を得ることができる。しかも、両網体は網目の位置がばらつくことがなく、従来の消音部材と比較して常に安定した消音効果を発揮することができる。
【００１１】
請求項２では、水，湯は可動弁の混合室に流入する時、混合室から流出する時の何れにおいても第１網体，第２網体を通過するので、十分な消音効果を得ることができる。しかも、両網体は網目の位置がばらつくことがなく、従来の消音部材と比較して常に安定した消音効果を発揮することができる。さらに、混合室に供給された水，湯はスライダーの混合促進板に当たって拡散されることで、湯水の混合を促進させることができる。
【発明を実施するための最良の形態】
【００１２】
以下、本発明の実施例を図に基づいて詳細に説明する。
【実施例１】
【００１３】
図１に示すように、洗面台や流し台等のカウンター１に取り付けられる混合水栓Ａはシングルレバー式であり、略円筒状の水栓本体２と、この水栓本体２の上部に配置され、湯水の流量と温度とを調節するための弁機構４が収容されるケース３と、水栓本体２の外周面に外嵌され、弁機構４で調節された湯水が吐水される吐水管５と、前記ケース３を水栓本体２の上部に固定するための固定ナット６と、弁機構４と連繋し吐水管５から吐水される湯水の流量及び温度を調節するためのレバー７とを備えている。
【００１４】
前記水栓本体２は略円筒状に形成され、下部底面には螺子軸８が固定されている。そして、混合水栓Ａをカウンター１に穿設された取付孔１ａの上部に配置した状態で、取付孔１ａに上部から貫通した螺子軸８に対し、カウンター１の下部から座金９を挿通し、固定部材１０を螺子軸８に螺着することで、水栓本体２と座金９とによりカウンター１を挟着し、混合水栓Ａはカウンター１に取り付けられるものである。また、図２に示すように水栓本体２の上面には前記ケース３が装着される支持部１１が形成され、この支持部１１には円形で同一外径の給水通路１２，給湯通路１３が隣接して穿設され、さらに両通路１２，１３より大径の円形で吐水管５と連通する吐出通路１４が穿設されている。そして、水栓本体２の上部外周面には雄ねじ１５が形成されており、この雄ねじ１５には前記固定ナット６の内周面に形成された雌ねじ６ａが螺合され、ケース３は水栓本体２の支持部１１に固定されるものである。
【００１５】
図３に示すように、前記ケース３は合成樹脂で形成された下ケース１６と上ケース１７とからなり、ケース３の内部には弁機構４が収容され、下ケース１６と上ケース１７とは弁機構４が収容された状態で上下に着脱自在に結合される。弁機構４は、略円盤状でセラミック製の固定板１８と、この固定板１８と同一材質からなる可動板１９とを上下に水密的に重ね合わせて構成される。
【００１６】
図４及び図５に示すように、固定板１８は両面に貫通する略円弧状の給水孔２０，給湯孔２１，及び略扇形状の吐出孔２２が穿設され、給水孔２０は下ケース１６の水孔２３に、給湯孔２１は湯孔２４に、吐出孔２２は混合孔２５にそれぞれ連通している。
【００１７】
前記可動板１９は固定板１８と比較してひと回り外径が小さく、底面側の摺接面２６を固定板１８の上面に重ね合わせて摺動させることで、前記給水孔２０又は給湯孔２１のどちらか一方、或いは両方と連通して、水，湯を前記吐出孔２２へ供給する混合室２７が両面に貫通して形成され、この混合室２７には通過する水，湯の通水音を低減するための消音部材２８を介在させている。前記可動板１９の混合室２７には上方からパッキン２９を介して円盤型のスライダー３０が水密的に嵌合され、このスライダー３０の上部には軸心より前後方向に偏心させた位置に上面を開口した軸受部３１が形成され、この軸受部３１にはアーム３２が係合されている。
【００１８】
前記消音部材２８は、図４に示すように、ステンレス鋼ワイヤ等の極細の線材をメッシュ状に形成されたもので、薄板円盤形状の第１網体２８ａと、帽子形状の第２網体２８ｂとから構成され、両網体２８ａ，２８ｂを溶接等により一体に形成し、各網体２８ａ，２８ｂに設けられた網目２８ｃの位置が変わらないようにしている。また、第１網体２８ａと第２網体２８ｂの間には空間２８ｄが形成されるように配置されている。
【００１９】
図３及び図４に示すように、前記上ケース１７の内部には、アーム３２を支持しスライダー３０の上面を摺動するスライダーガイド３３が収容されている。スライダーガイド３３は前記スライダー３０に上方から嵌合させて、中央に開口した挿通孔３４内でピン３５を支点にアーム３２を揺動自在に挟着し、このアーム３２はピン３５を挿通する挿孔３６から下部をくの字形に折曲した折曲部３７の先端の突部３８が前記軸受部３１に係合し、このアーム３２の上部先端に結合されたレバー７の左右回動方向及び上下方向の操作によって、前記スライダー３０の軸受部３１に係合した突部３８を支点として可動板１９が固定板１８上を直線方向又は回転方向に摺動することで、吐水管５から吐水される湯水の温度及び流量が調節される。このスライダー３０を介して可動板１９は前後に移動し、湯水の温度を調節するアーム３２の回転運動時にはスライダー３０はアーム３２と共に回転し、スライダー３０を介して可動板１９は回転する。スライダーガイド３３は環状に形成されたフランジ部３３ａにリング状のスリップワッシャ３９が組み込まれるものであり、このスリップワッシャ３９はスライダーガイド３３のフランジ部３３ａと、上ケース１７の内部に形成された天井面１７ａとの間に挟まれ、スライダーガイド３３は上ケース１７と上下に接触することなく回転可能である。
【００２０】
実施例１の混合水栓Ａにおいて、図１の状態からレバー７を上方向に操作したときには、アーム３２を介して可動板１９が直線的に水平移動される。この水平移動により、固定板１８の給水孔２０及び給湯孔２１に対する可動板１９の混合室２７の開口面積が変更されて、湯水の吐出流量が調整されるようになっている。したがって固定板１８と可動板１９とにより流体としての水及び湯の流量が制御される。また、レバー７を正面から横方向へ回動操作したときには、アーム３２を介して可動板１９が水平方向へ回動される。この水平方向への回動により、固定板１８の給水孔２０及び給湯孔２１に対する混合室２７の開口面積が変更されて、水と湯との混合比が調節される。
【００２１】
実施例１の混合水栓Ａでは、固定板１８の給水孔２０，給湯孔２１から流入された水，湯は、消音部材２８の第１網体２８ａ，第２網体２８ｂの順で通過して可動板１９の混合室２７で混合される。そして、混合された湯水は消音部材２８の第２網体２８ｂ，第１網体２８ａの順で通過し、吐水孔２２から吐出通路１４を介して外部へ吐出される。このように流体（水，湯，混合水）は計４回網体２８ａ，２８ｂを通過することとなり、網体２８ａ，２８ｂを通過する度に整流されるので、十分な消音効果を得ることができる。しかも、両網体２８ａ，２８ｂは一体に形成されているので、各網目２８ｃ，２８ｃの位置が変わることがなく、常に安定した消音効果を得ることができる。
【実施例２】
【００２２】
図６乃至図８は本発明の別の実施例である。混合水栓は可動板の混合室に供給された水，湯の混合を促進させるための手段を設けることが好ましく、この実施例の混合水栓Ｂは、可動板に嵌合されるスライダーに水，湯の混合を促進させる手段として混合促進板４２が形成された例である。なお、実施例１と同一構成のものについては同一符号を付し、詳細な説明は省略する。
【００２３】
前記スライダー４０は、可動板１９に対して上方からパッキン２９を介して水密的に嵌合されている。このスライダー４０は円盤型で、図６及び図７に示すように、上部には軸心より前後方向に偏心させた位置に上面を開口した軸受部４１が形成され、この軸受部４１にはアーム３２が係合されている。また図８に示すように、スライダー４０の下部には混合促進板４２が下方に突出するように、即ち可動板１９の混合室２７に向かって突出するように形成されている。この混合促進板４２は、固定板１８の給水孔２０，給湯孔２１から可動板１９の混合室２７に流入された水，湯を拡散させて湯水の混合を促進させるものである。
【００２４】
ここで、消音部材２８と混合促進板４２との位置関係について説明する。
図６及び図７に示すように、可動板１９に形成された混合室２７には消音部材２８が設けられており、この消音部材２８は固定板１９と対向するように配置される。また、可動板１９に対して上方からパッキン２９を介してスライダー４０が嵌合されており、このスライダー４０には混合室２７に向かって混合促進板４２が突出して形成されている。このとき、可動板１９の混合室２７に消音部材２８を配置させるにあたり、その向きを実施例１と同一にする、即ち第２網体２８ｂが上側となるように配置すると、第２網体２８ｂは帽子形状であるため混合促進板４２と接触し、変形してスライダー４０の下部に入り込んでしまい、その結果、消音部材２８による通水音の消音効果が著しく低減してしまう。このため本実施例では、薄板円盤形状の第１網体２８ａは帽子形状である第２網体２８ｂの上部となるようにした状態で一体とし、第２網体２８ｂは可動板１９の混合室２７内で固定板１８と対向するように配置される。なお、消音部材２８の第１網体２８ａは可動板１９とスライダー４０との間でパッキン２９を介して挟持されるとともに、薄板円盤形状の第１網体２８ａは上部に向けて突出しないため、混合促進板４２とは接触しないように配置されている。
【００２５】
実施例２の混合水栓Ｂにおいて、図６の状態からレバー７を上方向に操作したときには、その操作力はアーム３２及びスライダー４０を介して可動板１９に伝達され、可動板１９は直線的に水平移動される。この水平移動により、固定板１８の給水孔２０及び給湯孔２１に対する可動板１９の混合室２７の開口面積が変更されて、湯水の吐出流量が調整されるようになっている。したがって固定板１８と可動板１９とにより流体としての水及び湯の流量が制御される。また、レバー７を正面から横方向へ回動操作したときには、その操作力はアーム３２及びスライダー４０を介して可動板１９に伝達され、可動板１９は水平方向へ回動される。この水平方向への回動により、固定板１８の給水孔２０及び給湯孔２１に対する混合室２７の開口面積が変更されて、水と湯との混合比が調節される。
【００２６】
実施例２の混合水栓Ｂでは、固定板１８の給水孔２０，給湯孔２１から流入された水，湯は、消音部材２８の第２網体２８ｂ，第１網体２８ａの順で通過して可動板１９の混合室２７で混合される。このとき、混合室２７内へ流入した水，湯はスライダー４０の混合促進板４２に当たって拡散されることで、湯水の混合を促進させることができる。
【００２７】
そして、混合された湯水は消音部材２８の第１網体２８ａ，第２網体２８ｂの順で通過し、吐水孔２２から吐出通路１４を介して外部へ吐出される。このように流体（水，湯，混合水）は計４回網体２８ａ，２８ｂを通過することとなり、網体２８ａ，２８ｂを通過する度に整流されるので、十分な消音効果を得ることができる。しかも、両網体２８ａ，２８ｂは一体に形成されており、混合促進板４２と接触しないように配置されているので、各網目２８ｃ，２８ｃの位置が変わることがなく、常に安定した消音効果を得ることができる。
【図面の簡単な説明】
【００２８】
【図１】本発明の混合水栓をカウンターに取り付けた状態の縦断面図である。
【図２】混合水栓の支持部を表す斜視図である。
【図３】弁機構が収容されたケースの縦断面図である。
【図４】弁機構の分解斜視図である。
【図５】固定板と可動板との斜視図である。
【図６】本発明の別の実施例で、混合水栓をカウンターに取り付けた状態の縦断面図である。
【図７】弁機構が収容されたケースの縦断面図である。
【図８】図７における、可動板と消音部材とスライダーとの関係を表す斜視図である。
【符号の説明】
【００２９】
１８    ：固定板
１９    ：可動板
２０    ：給水孔
２１    ：給湯孔
２２    ：吐出孔
２７    ：混合室
２８ａ  ：第１網体
２８ｂ  ：第２網体
２８ｃ  ：網目
４０    ：スライダー
４２    ：混合促進板
Ａ，Ｂ  ：混合水栓
【図１】
2006022945.tif 000003
【図２】
2006022945.tif 000004
【図３】
2006022945.tif 000005
【図４】
2006022945.tif 000006
【図５】
2006022945.tif 000007
【図６】
2006022945.tif 000008
【図７】
2006022945.tif 000009
【図８】
2006022945.tif 000010